(57)【要約】【課題】  構造がシンプルで、機械的強度に優れ、高い遮光性を有する感光記録材料用包装箱を提供すること。【解決手段】  上記課題を解決するために本発明の包装箱１は、感光記録材料Ｍを収容する本体部５と、感光記録材料Ｍの取り出し口に設けられる蓋体部７とが一体に形成されている。また蓋体部７は、本体部５の前板９側に設けられる内蓋部２３と、本体部５の背板１５側に設けられる外蓋部２５と、本体部５の左側板１１及び右側板１３に対して設けられる耳蓋部２７、２９とを備えており、内蓋部２３、耳蓋部２７、２９及び外蓋部２５を個別に折り畳むことによって蓋体部７を閉封するようにした。また内蓋部２３は閉封状態において側面視凹字状に折り曲げられることによって、内蓋部２３と外蓋部２５との間に遮光空間３７を形成した。【選択図】  図４
2005292710.tif 000002
【特許請求の範囲】
【請求項１】
感光記録材料を収容する本体部と、感光記録材料の取り出し口に設けられる蓋体部とが一体に形成された包装箱であり、
前記蓋体部は、本体部の前板側に設けられる内蓋部と、本体部の背板側に設けられる外蓋部と、本体部の左側板及び右側板に対して設けられる耳蓋部とを備えており、内蓋部、耳蓋部及び外蓋部を個別に折り畳むことによって蓋体部を閉封するようにしたことを特徴とする感光記録材料用包装箱。
【請求項２】
請求項１において、前記内蓋部は、本体部における前板に接続される基端フラップと、基端フラップに接続される中間フラップと、中間フラップに接続される先端フラップとを備えることによって構成されており、閉封状態において側面視凹字状に折り曲げられることによって、内蓋部と外蓋部との間に遮光空間を形成したことを特徴とする感光記録材料用包装箱。
【請求項３】
請求項１または２において、前記外蓋部は、本体部における背板に接続される外覆天板と、外覆天板に接続される前覆板とを備えることによって構成されており、外覆天板と前覆板との境界部には閉封時において前方に突出する指掛け突起が設けられていることを特徴とする感光記録材料用包装箱。
【請求項４】
請求項３において、前記前覆板の端辺には係止舌片、前記基端フラップと中間フラップとの境界部には係止スリットがそれぞれ設けられており、閉封時において係止舌片を係止スリットに挿し込んで係止させるようにしたことを特徴とする感光記録材料用包装箱。
【請求項５】
請求項１〜４のいずれかにおいて、前記本体部の底部には上げ底空間を形成する門型断面の補強部材が設けられていることを特徴とする感光記録材料用包装箱。
【請求項６】
請求項５において、前記本体部と前記補強部材が接続されていることを特徴とする感光記録材料用包装箱。
【発明の詳細な説明】
【技術分野】
【０００１】
本発明は、Ｘレイフィルム等の感光記録材料の包装に適した包装箱に係り、特に遮光性と機械的強度に優れる感光記録材料用包装箱に関する。
【背景技術】
【０００２】
Ｘレイフィルム等の感光記録材料を包装する包装箱として、従来は例えば図９（ａ）〜（ｃ）に示すようなものが使用されていた。
図９（ａ）に示すものは、包装箱本体３０１と蓋体３０３とが別体であり、包装箱本体３０１の上部に蓋体挿嵌部３０５が形成されていて、そこに蓋体３０３が挿嵌されるようになっている（特開平６−１８６６７９号公報：特許文献１）。
また図９（ｂ）に示すものは、包装箱本体３０７と蓋体３０９とが当初は一体となっており、リッパー部３１１を横方向に引き取ることにより蓋体３０９が包装箱本体３０７に対して回動可能となり蓋体３０９を開放できるようになっている（特開平８−１１４８８９号公報：特許文献２）。
更に図９（ｃ）に示すものは、包装箱本体３１３の上面側の一部の領域が折れ線３１５を介して上方へ折れ曲がることにより、蓋体３１７が上方へ開放できるようになっている（特開２００３−１５６８２０号公報：特許文献３）。
【０００３】
しかし図９（ａ）に示すものは、包装箱本体３０１が二重となっているため、展開図の面積が約２倍となり、経済性に劣る。またこのような包装箱を組み立てるには、専用機を新規に導入する必要があるため設備投資にも費用が掛かる。また図９（ｂ）に示すものは、一旦リッパー部３１１を引き取った後は、この部分での遮光性が十分に確保できないという問題がある。更に図９（ｃ）に示すものは、蓋体３１７を一旦開けると折れ線３１５に開く方向の癖がつくため、ロック機構がないと蓋体３１７を閉じても自然に蓋体３１７が開いてしまい、十分な遮光性を確保できないという問題がある。また、ロック機構があっても、開け方がわかりにくいうえ両手での作業が必要とされ、なおかつ繰り返して使用すると紙が疲労するという問題がある。
【０００４】
【特許文献１】特開平６−１８６６７９号公報
【特許文献２】特開平８−１１４８８９号公報
【特許文献３】特開２００３−１５６８２０号公報
【発明の開示】
【発明が解決しようとする課題】
【０００５】
従来の包装箱が有している上記の問題点を考慮して、本発明は、構造がシンプルで機械的強度に優れ、高い遮光性を有する感光記録材料用包装箱を提供することを課題とした。
【課題を解決するための手段】
【０００６】
本発明者は鋭意検討を重ねた結果、以下の構成を有する本発明の感光記録材料用包装箱によれば上記の課題を解決し得ることを見い出した。
本発明の感光記録材料用包装箱は、感光記録材料を収容する本体部と、感光記録材料の取り出し口に設けられる蓋体部とが一体に形成された包装箱であり、前記蓋体部は、本体部の前板側に設けられる内蓋部と、本体部の背板側に設けられる外蓋部と、本体部の左側板及び右側板に対して設けられる耳蓋部とを備えており、内蓋部、耳蓋部及び外蓋部を個別に折り畳むことによって蓋体部を閉封するようにしたことを特徴とするものである（第１の態様）。
【０００７】
上記発明において、前記内蓋部は、本体部における前板に接続される基端フラップと、基端フラップに接続される中間フラップと、中間フラップに接続される先端フラップとを備えることによって構成されており、閉封状態において側面視凹字状に折り曲げられることによって、内蓋部と外蓋部との間に遮光空間を形成してもよい（第２の態様）。
また上記発明において、前記外蓋部は、本体部における背板に接続される外覆天板と、外覆天板に接続される前覆板とを備えることによって構成されており、外覆天板と前覆板との境界部には閉封時において前方に突出する指掛け突起が設けられていてもよい（第３の態様）。
【０００８】
また上記発明において、前記前覆板の端辺には係止舌片、前記基端フラップと中間フラップとの境界部には係止スリットがそれぞれ設けられており、閉封時において係止舌片を係止スリットに挿し込んで係止させるようにしてもよい（第４の態様）。
また上記発明において、前記本体部の底部には上げ底空間を形成する門型断面の補強部材が設けられていてもよい（第５の態様）。
また第５の態様において、前記本体部と前記補強部材が接続されていてもよい（第６の態様）。
【発明の効果】
【０００９】
第１の態様によれば、本体部の上部開口が前板側からは内蓋部によって背板側からは外蓋部によって、左側板及び右側板側からは耳蓋部によって閉封されるから、上記上部開口を構成する四辺及び四隅からの光の進入が防止されて遮光性が向上する。また蓋体部が内蓋部、外蓋部及び左右の耳蓋部の四部材によって構成されているから機械的強度も向上する。
第２の態様によれば、内蓋部の凹字状となる閉封時の形状及び遮光空間の存在により、外蓋部の角隅部から進入する回折光が弱められるので、遮光性が更に向上する。また内蓋部の上記形状及び遮光空間の存在によってもたらされる緩衝作用によって、包装箱の機械的強度も更に向上する。従って落下等による衝撃時にも内容物である感光記録材料の破損、品質、性能の低下は生じない。
第３の態様によれば、本体部における背板、外覆天板及び前覆部によって、閉封時において門型形状の構造体が形成されるから包装箱の機械的強度は更に一層向上する。また指掛け突起を設けることによって、開封時の指掛かりができて開封作業が容易となる。
【００１０】
第４の態様によれば、外蓋部の閉封状態が確実になって、不用意に外蓋部が拡開する事態が防止され、遮光性が向上する。
第５の態様によれば、補強部材を設けることによって、落下等による衝撃時にも内容物である感光記録材料の破損、品質、性能の低下は生じない。
第６の態様によれば、１枚の連続した材料を折り込むことにより、補強部材を有する包装箱を容易に製造することができる。
【発明を実施するための最良の形態】
【００１１】
以下において、本発明の感光記録材料用包装箱について、図面を参照しながら詳細に説明する。なお、本明細書において「〜」を用いて表される数値範囲は、「〜」の前後に記載される数値を下限値及び上限値として含む範囲を意味する。
【００１２】
図１は、本発明に係る感光記録材料用包装箱（以下、包装箱という）の閉封時における全体を示す斜視図、図２は、包装箱の外蓋部と耳蓋部を拡開した状態の全体を示す斜視図である。また図３は、包装箱を完全に開封した状態の全体を示す斜視図、図４は閉封時における包装箱の蓋体部周辺を拡大して示す側断面図である。図５は、内蓋部のみを閉封した状態の蓋体部周辺を拡大して示す側断面図である。
【００１３】
尚、本明細書において、「上下」、「左右」及び「前後」の語を使用する場合には、図１に矢印で示す方向を意味するものとし、これは全ての実施形態に関しても同様である。また、本明細書において谷折れ罫線あるいは山折れ罫線によって仕切られた部位について使用する「幅寸法」とは、当該罫線に沿う方向の寸法、「長さ寸法」とは、当該罫線と直交する方向の寸法を意味するものとする。
【００１４】
本発明の包装箱１は、内装袋３によって密封された感光記録材料Ｍを収容する本体部５と、感光記録材料Ｍの取り出し口に設けられる蓋体部７とが一体に形成された包装箱である。尚、内装袋３は遮光機能を持つ黒ポリ層と、防湿機能を持つ機能性フィルム及び接着層とから構成されている。ここで、内装袋３は防湿のためのアルミ箔を含んでいて、折りグセが付き易い構造になっていてもよい。本発明の包装箱１としては段ボールが使用でき、好ましい材料として、Ｅフルート（例えば段数が約９４／３００ｍｍ）やＦフルート（例えば段数が約１２０／３００ｍｍ）のようなマイクロフルート段ボールや、板紙を挙げることができる。
【００１５】
本体部５は、前板９、左側板１１、右側板１３、背板１５及び底板１７とを備えた筒状の部材であり、開口された上面が内装袋３によって包装された感光記録材料Ｍの取り出し口になっている。尚、本体部５における左側板１１は、前板９の左側辺を後方に折り曲げた左内側板１９を内側にして、背板１５の左側辺を前方に折り曲げた左外側板２１を外側に被せるようにして重ね合わせ、両者を接着剤等によって貼り合せることによって構成されている。
【００１６】
また本体部５における右側板１３は、前板９の右側辺を後方に折り曲げた図示しない右内側板と、背板１５の右側辺を前方に折り曲げた図示しない右内側板とを同様に貼り合せることによって構成されている。尚、図示は省略するが、前板９と左側板１１及び右側板１３との境界付近、あるいは背板１５と左側板１１及び右側板１３との境界付近にミシン目を形成しておくことも可能である。このようにすれば、ミシン目を切り離すことによって本発明の包装箱１は廃棄時においてシート状に展開でき、廃棄作業が容易になる。
【００１７】
蓋体部７は、本体部５の前板９側に設けられる内蓋部２３と、本体部５の背板１５側に設けられる外蓋部２５と、本体部５の左側板１１及び右側板１３に対して設けられる耳蓋部２７、２９とを備えている。内蓋部２３は、本体部５における前板９に接続される基端フラップ３１と、基端フラップ３１に接続される中間フラップ３３と、中間フラップ３３に接続される先端フラップ３５と、先端フラップ３５から突出する指摘み部３６を備えている。
【００１８】
そしてこのような内蓋部２３は閉封状態において、図４、５に示すように側面視凹字状に折り曲げられ、内蓋部２３と外蓋部２５との間に遮光空間３７が形成されるようになっている。尚、図示の形態では、内蓋部２３における中間フラップ３３の長さ寸法を左側板１１及び右側板１３の長さ寸法、即ち、前板９と背板１５間の距離とほぼ等しくなるように設定している。
因みにこのような寸法設定をとることによって、中間フラップ３３が前板９乃至背板１５側からの力に対して支承部材として機能するから包装箱１の機械的強度が向上する。
【００１９】
また図２において破線で示すように基端フラップ３１と中間フラップ３３の境界に位置する谷折れ罫線３９の幅方向の中央には係止スリット４１が形成されている。この係止スリット４１には、次に述べる外蓋部２５側に設けられる係止舌片４３が挿し込まれ、係止されることで外蓋部２５の閉封状態が維持される。
【００２０】
外蓋部２５は、本体部５における背板１５に接続される外覆天板４５と、外覆天板４５に接続される前覆板４７とを備えている。外覆天板４５の長さ寸法は、上述した内蓋部２３における中間フラップ３３と同様、前板９と背板１５間の距離とほぼ等しくなるように設定されており、本体部５の上部開口を閉封して外部からの光の進入を防止すると共に、包装箱１の機械的強度の増大に貢献している。
【００２１】
また外覆天板４５と前覆板４７の境界に位置する山折れ罫線４９の幅方向の中央には指掛け突起５１が設けられている。指掛け突起５１は山折れ罫線４９上の一辺を残し、前覆板４７側に位置する他の三辺を打ち抜くことによって形成されていて、閉封時において山折れ罫線４９を中心に前覆板４７を９０°折り曲げることによって前方に突出するようになっている。また前覆板４７の端辺の中央には上述した係止舌片４３が設けられている。
【００２２】
図３において、左外側耳蓋部２７及び左内側耳蓋部２８は、本体部５における左側板１１の上端辺に接続される部材であり、右外側耳蓋部２９及び右内側耳蓋部３０は、本体部５における右側板１３の上端辺に接続される部材である。蓋体部７を形成するには、最初に左内側耳蓋部２８及び右内側耳蓋部３０をそれぞれ内側に１７０°折り曲げる。次いで、内蓋部２３を側面視凹字状になるように折り曲げる。このとき、左側板１１と中間フラップ３３の間に位置する左内側耳蓋部２８、及び右側板１３と中間フラップ３３の間に位置する右内側耳蓋部３０は、それぞれ中間フラップ３３の方向に復元力が働くため、収納部分の遮光効果が高まる。さらに左外側耳蓋部２７と右外側耳蓋部２９を内側に９０°折り曲げ、次いで外蓋部２５を前方に折り曲げ、前覆板４７を内蓋部２３の基端フラップ３１に沿わせるようにして下方に挿し込み、最後に先端の係止舌片４３を係止スリット４１に係止させることによって閉封状態とする。左外側耳蓋部２７と右外側耳蓋部２９は、左側板１１と右側板１３との上端辺からの光の進入を防ぐことができるため、片側に２枚ずつ耳蓋部を設けることによって相乗的に遮光性を高めることができる。
【００２３】
一方、閉封状態の蓋体部７を開封し、感光記録材料Ｍを取り出す場合には、指掛け突起５１に下方から指を掛け、上方に引き上げるようにして外蓋部２５を後方に拡開する。次に左外側耳蓋部２７と右外側耳蓋部２９を上方に引き起こし、指摘み部３６を指で摘んで内蓋部２３を手前側に引き上げ、さらに左内側耳蓋部２８及び右内側耳蓋部３０を上方に引き起こすことによって開封し、内装袋３によって包装されている感光記録材料Ｍを包装箱１から取り出す。
【００２４】
本発明に係る感光記録材料用包装箱１は基本的に以上述べたように構成される訳であるが、更に次に述べるような部分的構成の改変も可能である。図６は包装箱１の底部に補強部材５３を配設した形態を示している。この補強部材５３は、前面フラップ５５と、天面フラップ５７と、背面フラップ５９を長さ方向に接続することによって構成されており、包装箱１の底部に装着された状態では、図示のような門型形状に配設され、補強部材５３と本体部５における底板１７との間には上げ底空間６１が形成されている。尚、天面フラップ５７の長さ寸法は、内蓋部２３における中間フラップ３３及び外蓋部２５における外覆天板４５と同様、前板９と背板１５間の距離とほぼ等しくなるように設定されている。このため、落下等により包装箱１の底部に衝撃が加わったとしても、上げ底空間６１が変形することにより衝撃を吸収できるため、収納されている感光記録材料を十分に保護することができる。
図７は、補強部材５３を構成する前面フラップ５５の下端が前板９の下端と接続しており、補強部材５３を構成する背面フラップ５９の下端が背板１５の下端と接続している形態を示している。図６と同様に上げ底空間６１が衝撃を吸収することができる。また、図７の形態を採用すれば、１枚の連続した板紙を折り込むことにより上げ底空間６１を有する包装箱１を形成することができる。このため、製造工程が簡略化され、接着剤の使用量を減らすことが可能である。
【００２５】
また図８は、包装箱１の底部に蓋体部７と同様の構成の底蓋部６３を設けた形態をしている。尚、同様の構成を有することに伴い、底蓋部６３の構成部材を表す符号は、蓋体部７の構成部材と同一の符号を使用している。因みにこのような底蓋部６３を設けた場合には、機械的強度の向上が図られる他、蓋体部７と同様の遮光性が保たれる。また底蓋部６３は構造が蓋体部７と同じであるから、底蓋部６３側を開封して内装袋３に収容されている感光記録材料Ｍを取り出すことも可能となる。
【産業上の利用可能性】
【００２６】
本発明の感光記録材料用包装箱は、様々な種類の感光記録材料を包装するための包装箱として広く利用することが可能である。特に、直接撮影医療用フィルムなどのＸレイフィルム用の包装箱として好ましく使用することができる。
【図面の簡単な説明】
【００２７】
【図１】本発明に係る感光記録材料用包装箱の閉封時における全体を示す斜視図である。
【図２】同上、外蓋部と耳蓋部を拡開した状態の全体を示す斜視図である。
【図３】同上、蓋体部を完全に開封した状態の全体を示す斜視図である。
【図４】閉封時における包装箱の蓋体部周辺を拡大して示す側断面図である。
【図５】内蓋部のみを閉封した状態の蓋体部周辺を拡大して示す側断面図である。
【図６】包装箱の底部に補強部材を配設した形態の底部周辺を拡大して示す側断面図である。
【図７】包装箱の底部に補強部材を連続して配設した形態の底部周辺を拡大して示す側断面図である。
【図８】包装箱の底部に底蓋部を設けた形態の底部周辺を拡大して示す側断面図である。
【図９】従来の包装箱の構造を示す斜視図である。
【符号の説明】
【００２８】
１  （感光記録材料用）包装箱、３  内装袋、５  本体部、７  蓋体部、９  前板、
１１  左側板、１３  右側板、１５  背板、１７  底板、１９  左内側板、
２１  左外側板、２３  内蓋部、２５  外蓋部、２７  左外側耳蓋部、
２８  左内側耳蓋部、２９  右外側耳蓋部、３０  右内側耳蓋部、
３１  基端フラップ、３３  中間フラップ、３５  先端フラップ、
３６  指摘み部、３７  遮光空間、３９  谷折れ罫線、
４１  係止スリット、４３  係止舌片、４５  外覆天板、４７  前覆板、
４９  山折れ罫線、５１  指掛け突起、５３  補強部材、５５  前面フラップ、
５７  天面フラップ、５９  背面フラップ、６１  上げ底空間、６３  底蓋部、
Ｍ  感光記録材料
【図１】
2005292710.tif 000003
【図２】
2005292710.tif 000004
【図３】
2005292710.tif 000005
【図４】
2005292710.tif 000006
【図５】
2005292710.tif 000007
【図６】
2005292710.tif 000008
【図７】
2005292710.tif 000009
【図８】
2005292710.tif 000010
【図９】
2005292710.tif 000011